(57)【特許請求の範囲】
【請求項１】
対応するソケットコネクタ（２０）へ挿入するためのプラグコネクタ（１０）であって、
複数の第１の接続端子を受容するように構成される第１のハウジング（１１）と、
前記第１のハウジング（１１）と一体的に接続され、前記プラグコネクタ（１０）を前記ソケットコネクタ（２０）にロックするためのロックデバイス（１２）と、
前記ロックデバイス（１２）上の前記ロックデバイス（１２）の幅方向の中心からずれた位置に形成され、前記ソケットコネクタ（２０）の対応する第２の誤挿入防止デバイスと嵌合するように構成される１つの第１の誤挿入防止デバイスとを備え、
前記ロックデバイス（１２）の内表面は、前記第１のハウジング（１１）の外表面から分離されており、
前記ロックデバイス（１２）は、前記ロックデバイス（１２）の外表面上に形成され、前記プラグコネクタ（１０）が前記ソケットコネクタ（２０）に対してロックされるように前記ソケットコネクタ（２０）と嵌合するように構成される少なくとも１つのロック突起（１２１）を備え、
前記第１の誤挿入防止デバイスは、前記ロックデバイスの外表面上に形成される誤挿入防止突起として構成されるプラグコネクタ。
【請求項２】
前記第１のハウジング（１１）の前記ロックデバイス（１２）の右側及び左側の少なくとも一方の近傍位置に補強リブ（１３）が設けられ、
前記補強リブ（１３）は、前記プラグコネクタ（１０）が挿入される方向に延在する請求項１に記載のプラグコネクタ。
【請求項３】
前記補強リブ（１３）は、前記第１のハウジング（１１）の前記ロックデバイス（１２）の右側及び左側の夫々の近傍位置に設けられる請求項２に記載のプラグコネクタ。
【請求項４】
前記補強リブ（１３）には、前記ソケットコネクタ（２０）の突起（２４１）と嵌合するために、少なくとも１つの誤挿入防止切欠き（１３１）が形成される請求項３に記載のプラグコネクタ。
【請求項５】
前記プラグコネクタ（１０）の挿入端とは反対側の前記ロックデバイス（１２）の一端には、外方に傾斜した操作部（１２３）が設けられる請求項１に記載のプラグコネクタ。
【請求項６】
請求項１に記載のプラグコネクタ（１０）と、
前記プラグコネクタ（１０）と嵌合するソケットコネクタ（２０）とを備える電気コネクタアセンブリであって、
前記ソケットコネクタ（２０）は、
複数の第２の接続端子を受容するように構成される第２のハウジング（２１）と、
前記第２のハウジング（２１）の側面上に形成され、前記側面から外方に部分的に突出し、内部に前記ロックデバイス（１２）を受容する受容部（２２）と、
前記第１の誤挿入防止デバイスと嵌合するように構成される１つの第２の誤挿入防止デバイスとを備える電気コネクタアセンブリ。
【請求項７】
前記ソケットコネクタ（２０）は、前記受容部（２２）の内側において横方向に延在し、内方に突出するブロック部（２３）を更に含み、
前記ブロック部（２３）は、前記ロックデバイス（１２）のロック突起（１２１）と嵌合するように構成され、前記プラグコネクタ（１０）が前記ソケットコネクタ（２０）から係合解除されることを阻止する請求項６に記載の電気コネクタアセンブリ。
【請求項８】
前記第１の誤挿入防止デバイスは、前記ロックデバイス（１２）の外表面から突出する１つの誤挿入防止突起（１２２）を含み、
前記第２の誤挿入防止デバイスは、前記ブロック部（２３）に形成される１つの切欠き（２３１）を含み、
前記切欠き（２３１）は、前記誤挿入防止突起（１２２）に対応し、前記誤挿入防止突起（１２２）を通すことができる請求項７に記載の電気コネクタアセンブリ。
【請求項９】
前記第１のハウジング（１１）の前記ロックデバイス（１２）の右側及び左側の少なくとも一方の近傍位置には、補強リブ（１３）が設けられ、前記補強リブ（１３）は、前記プラグコネクタ（１０）が挿入される方向に延在し、
前記第２のハウジング（２１）の内側には、少なくとも１つの通路（２４）が設けられ、前記通路（２４）は、前記補強リブ（１３）に対応し、前記補強リブ（１３）を通すことができる請求項６乃至８のいずれか一項に記載の電気コネクタアセンブリ。
【請求項１０】
前記補強リブ（１３）は、前記第１のハウジング（１１）の前記ロックデバイス（１２）の右側及び左側の夫々の近傍位置に設けられる請求項９に記載の電気コネクタアセンブリ。
【請求項１１】
前記プラグコネクタ（１０）は、前記補強リブ（１３）に形成される少なくとも１つの誤挿入防止切欠き（１３１）を更に含み、
前記第２の誤挿入防止デバイスは、前記通路（２４）に設けられ、前記誤挿入防止切欠き（１３１）に対応する突起（２４１）を更に備える請求項１０に記載の電気コネクタアセンブリ。
【請求項１２】
前記プラグコネクタ（１０）の挿入端の反対側の前記ロックデバイス（１２）の一端には、外方に傾斜した操作部（１２３）が設けられる請求項６に記載の電気コネクタアセンブリ。
【発明の詳細な説明】
【関連出願の相互参照】
【０００１】
本出願は、中華人民共和国国家知識産権局において２０１２年８月３日に提出された中国特許出願第２０１２２０３８４０１１．０号の利益を主張するものであり、その全開示を参照によって本書に援用する。
【技術分野】
【０００２】
本発明は、電気コネクタアセンブリに関し、特に、プラグコネクタとソケットコネクタとを備える電気コネクタアセンブリに関する。
【背景技術】
【０００３】
一般に、プラグコネクタ及びソケットコネクタは、各々、複数の導線に電気的に接続される。電気回路では、プラグコネクタをソケットコネクタに接続するだけで、異なる導線群同士が互いに電気的に接続される場合が多く、又は回路基板又はその他の電気装置に接続されるソケットコネクタにプラグコネクタを挿入するだけで、導線が回路基板又はその他の電気装置に電気的に接続される場合が多い。場合によっては、様々な信号線及び電力線が、同じ種類のプラグコネクタ及びソケットコネクタに同時に適用されることがある。従って、様々な信号線及び電力線が迅速且つ正確に接続されることを保証するために、プラグコネクタとソケットコネクタの不一致を防止するように、プラグコネクタ及びソケットコネクタに誤挿入防止（不一致防止）機能が設けられなければならない。
【０００４】
図１は、先行技術におけるプラグコネクタ２００及びソケットコネクタ３００の説明図である。図１に示すように、プラグコネクタ２００は、絶縁材料製の第１のハウジング２０１と、第１のハウジング２０１の外側に設けられるロック部材２０２と、第１のハウジング２０１に固定され、複数の第１の導線２０３に夫々電気的に接続される第１の接続部材（図示せず）とを備える。ソケットコネクタ３００は、絶縁材料製の第２のハウジング３０１と、第２のハウジング３０１の外側に設けられるロック部材３０２と、第２のハウジング３０１に固定され、複数の第２の導線３０３に夫々電気的に接続される第２の接続部材（図示せず）とを備える。ロック部材２０２は、ロック部材２０２の内側に位置し、第１のハウジング２０１の外側に接続される接続部（図示せず）を有し、この接続部以外のロック部材２０２の他の部分は、特定の距離だけ第１のハウジング２０１の外側から離間しており、ロック部材２０２の上部外表面上には、外方に傾斜した操作部２０２１が設けられる。
【０００５】
作業者は、操作部２０２１を掴み、プラグコネクタ２００をソケットコネクタ３００に部分的に挿入することができるので、プラグコネクタ２００の第１の接続部材は、ソケットコネクタ３００の第２の接続部材に夫々電気的に接続され、第１のロック部材２０２は、第２のロック部材３０２にロックされる。このようにして、複数の第１の導線２０３は、複数の第２の導線３０３に夫々電気的に接続される。
【０００６】
ソケットコネクタ３００からプラグコネクタ２００の分離中に、作業者は、操作部２０２１を押して、第２のロック部材３０２から第１のロック部材２０２を解放することができる。この時、プラグコネクタ２００は、ソケットコネクタ３００から引き抜かれることができる。
【０００７】
プラグコネクタ２００では、第１のハウジング２０１の外側の第１のハウジング２０１の各端部に誤挿入防止リブ２０４が設けられており、それに対応する誤挿入防止溝３０４が、ソケットコネクタ３００の第２のハウジング３０１の内側の第２のハウジング３０１の各端部に設けられている。プラグコネクタ２００がソケットコネクタ３００に挿入される時、誤挿入防止リブ２０４は、誤挿入防止溝３０４に挿入される。このようにして、誤挿入防止リブ及び誤挿入防止溝の位置及び数を選択すること、例えば、第１のハウジングや第２のハウジングの左側、右側、又は両側に誤挿入防止リブや誤挿入防止溝を設計することによって、プラグコネクタが、プラグコネクタと一致しないソケットコネクタに誤挿入されることを防止することができる。
【発明の概要】
【発明が解決しようとする課題】
【０００８】
本発明は、上述の欠点の少なくとも一部を克服又は低減するために成されたものである。
【課題を解決するための手段】
【０００９】
従って、プラグコネクタ及びそのプラグコネクタを有するコネクタアセンブリを提供することが望ましい。本発明のプラグコネクタは、対応するソケットコネクタ内に容易に挿入することができ、プラグコネクタが、不一致のソケットコネクタに挿入することを効果的に防止することができる。
【００１０】
本発明の一態様によれば、対応するソケットコネクタに挿入するためのプラグコネクタであって、複数の第１の接続端子を受容するように構成される第１のハウジングと、前記第１のハウジングと一体的に接続され、前記プラグコネクタを前記ソケットコネクタにロックするためのロックデバイスと、前記ロックデバイス上に形成され、前記ソケットコネクタの対応する第２の誤挿入防止デバイスと嵌合するように構成される少なくとも１つの第１の誤挿入防止デバイスとを備えるプラグコネクタが提供される。
【００１１】
上述のプラグコネクタでは、前記ロックデバイスの内表面は、前記第１のハウジングの外表面から分離しており、前記ロックデバイスは、前記ロックデバイスの外表面上に形成され、前記プラグコネクタが前記ソケットコネクタにロックされるように前記ソケットコネクタと嵌合するように構成される少なくとも１つのロック突起を備える。
【００１２】
上述のプラグコネクタでは、前記第１の誤挿入防止デバイスは、前記ロックデバイスの外表面上に形成される少なくとも１つの誤挿入防止突起として構成される。
【００１３】
上述のプラグコネクタでは、前記第１のハウジングの前記ロックデバイスの右側及び左側の少なくとも一方の近傍位置に補強リブが設けられ、前記補強リブは、前記プラグコネクタが挿入される方向に延在する。
【００１４】
上述のプラグコネクタでは、前記補強リブは、前記第１のハウジングの前記ロックデバイスの右側及び左側の各々の近傍位置に設けられる。
【００１５】
上述のプラグコネクタでは、前記補強リブには、前記ソケットコネクタの突起と嵌合するために、少なくとも１つの誤挿入防止切欠きが形成される。
【００１６】
上述のプラグコネクタでは、前記プラグコネクタの挿入端とは反対側の前記ロックデバイスの一端には、外方に傾斜した操作部が設けられる。
【００１７】
本発明の更に他の態様によれば、上述のプラグコネクタと、前記プラグコネクタと嵌合するソケットコネクタとを備える電気コネクタアセンブリが提供される。前記ソケットコネクタは、複数の第２の接続端子を受容するように構成される第２のハウジングと、前記第２のハウジングの側面上に形成され、前記側面から外方に部分的に突出し、内部に前記ロックデバイスを受容する受容部と、前記第１の誤挿入防止デバイスと嵌合するように構成される少なくとも１つの第２の誤挿入防止デバイスとを備える。
【００１８】
上述の電気コネクタアセンブリでは、前記ソケットコネクタは、前記受容部の内側において横方向に延在し、内方に突出するブロック部を更に含み、前記ブロック部は、前記ロック突起と嵌合するように構成され、前記プラグコネクタが前記ソケットコネクタから係合解除されることを阻止する。
【００１９】
上述の電気コネクタアセンブリでは、前記第１の誤挿入防止デバイスは、前記ロックデバイスの外表面から突出する少なくとも１つの誤挿入防止突起を含み、前記第２の誤挿入防止デバイスは、前記ブロック部に形成される少なくとも１つの切欠きを含み、前記少なくとも１つの切欠きは、前記少なくとも１つの誤挿入防止突起に対応し、前記少なくとも１つの誤挿入防止突起を通すことができる。
【００２０】
上述の電気コネクタアセンブリでは、前記第１のハウジングの前記ロックデバイスの右側及び左側の少なくとも一方の近傍位置には、補強リブが設けられ、前記補強リブは、前記プラグコネクタが挿入される方向に延在し、前記第２のハウジングの内側には、少なくとも１つの通路が設けられ、前記通路は、前記補強リブに対応し、前記補強リブを通すことができる。
【００２１】
上述の電気コネクタアセンブリでは、前記補強リブは、前記第１のハウジングの前記ロックデバイスの右側及び左側の夫々の近傍位置に設けられる。
【００２２】
上述の電気コネクタアセンブリでは、前記プラグコネクタは、前記補強リブに形成される少なくとも１つの誤挿入防止切欠きを更に含み、前記第２の誤挿入防止デバイスは、前記通路に設けられ、前記誤挿入防止切欠きに対応する突起を更に備える。
【００２３】
上述の電気コネクタアセンブリでは、前記プラグコネクタの挿入端の反対側の前記ロックデバイスの一端には、外方に傾斜した操作部が設けられる。
【００２４】
本発明の様々な実施形態に係るプラグコネクタ及びコネクタアセンブリでは、プラグコネクタの誤挿入防止機能部の個数、位置、及び形状を変更し、それに対応してソケットコネクタの誤挿入防止機能部の個数、位置、及び形状を変更することにより、互いに一致する様々なプラグコネクタ及びソケットコネクタが得られる。更に、プラグコネクタと、そのプラグコネクタと一致するソケットコネクタは、互いに容易に且つ迅速に嵌合することができ、プラグコネクタが、そのプラグコネクタと一致しないソケットコネクタに挿入することを防止することができる。
【図面の簡単な説明】
【００２５】
本発明の上記及びその他の特徴は、その例示的実施形態を、添付の図面を参照して詳述することにより、より明らかになる。
【図１】先行技術におけるプラグコネクタ及びソケットコネクタの説明図である。
【図２】本発明の第１の例示的実施形態に係るコネクタアセンブリの斜視図である。
【図３】図２のコネクタアセンブリの分解図である。
【図４】図２のコネクタアセンブリの他の分解図である。
【図５】本発明の第２の例示的実施形態に係るコネクタアセンブリの分解図である。
【図６】本発明の第３の例示的実施形態に係るコネクタアセンブリの分解図である。
【図７】本発明の第４の例示的実施形態に係るコネクタアセンブリの分解図である。
【発明を実施するための形態】
【００２６】
本開示の例示的実施形態は、添付の図面を参照して詳細に以下に記述され、同様の参照番号は、同様の部材を指す。しかしながら、本開示は、数多くの様々な形態で実施されることができ、本書において説明された実施形態に限定されるものと解釈されるべきではなく、むしろ、これらの実施形態は、本開示が十分且つ完全なものになるように提供されるものであり、当業者に対して本開示の概念を十分に伝えるものである。
【００２７】
本発明の様々な例示的実施形態に係るコネクタアセンブリは、電子回路において広く適用され、異なる導線群間又は導線群と回路基板又はその他の電子装置との間で電気的接続を行うことができる。
【００２８】
図２乃至図４は、本発明の第１の例示的実施形態に係るコネクタアセンブリの説明図である。本コネクタアセンブリは、プラグコネクタ１０と、プラグコネクタ１０と嵌合するソケットコネクタ２０とを備える。
【００２９】
図３に示すように、プラグコネクタ１０は、絶縁材料から作製され、複数の第１の接続端子（図示せず）を受容するように構成される第１のハウジング１１と、第１のハウジング１１と一体的に接続され、ソケットコネクタ２０に対してプラグコネクタ１０をロックするロックデバイス１２と、ロックデバイス１２上に形成され、ソケットコネクタ２０の対応する第２の誤挿入防止（不一致防止）デバイスと嵌合する少なくとも１つの第１の誤挿入防止（不一致防止）デバイスとを備える。
【００３０】
図３に示すように、ソケットコネクタ２０は、回路基板又はその他の電子装置に接続可能な複数の第２の導線又は第２の接続端子４００を受容するように構成される第２のハウジング２１と、第２のハウジング２１の側面に形成され、第２のハウジング２１の側面から外方に部分的に突出し、内部にロックデバイス１２を受容する受容部２２と、第１の誤挿入防止デバイスと嵌合するように構成される少なくとも１つの第２の誤挿入防止デバイスとを備える。
【００３１】
本発明の例示的実施形態に係るプラグコネクタ１０では、ロックデバイス１２の内表面は、第１のハウジング１１の外表面から分離され、ロックデバイス１２は、プラグコネクタ１０の挿入端において第１のハウジング１１と一体化している。ロックデバイス１２は、ロックデバイス１２の外表面上に形成され、ソケットコネクタ２０と嵌合するように構成される少なくとも１つのロック突起１２１を備えるので、プラグコネクタ１０はソケットコネクタ２０にロックされる。
【００３２】
更に、ソケットコネクタ２０は、受容部２２の内側において横方向に（プラグコネクタ１０の挿入方向に対して垂直な方向へ）延出し、例えば、ソケットコネクタ２０の入口側において受容部２２の縁から内方に突出するブロック部２３を更に備える。ブロック部２３は、ロック突起１２１と嵌合され、プラグコネクタ１０がソケットコネクタ２０から係合解除されることを阻止するように構成される。
【００３３】
更に、プラグコネクタ１０の挿入端とは反対側のロックデバイス１２の一端（図３では上端）には、外方に傾斜した操作部１２３が設けられる。図３乃至図４に示すように、作業者が第１のハウジング１１の外表面に向かってロックデバイス１２の上端を押すと、ロックデバイス１２のロック突起１２１は、ブロック部２３を越えることができるので、プラグコネクタ１０は、ソケットコネクタ２０内に挿入することができ、同時に、ロックデバイス１２は、受容部２２内に受容されることができる。プラグコネクタ１０がソケットコネクタ２０内に挿入された後、作業者は、操作部１２３から押圧力を解除し、ロックデバイス１２は、外方に弾性的に拡大するので、ロック突起１２１の上表面は、ブロック部２３の下表面に当接し、プラグコネクタ１０がソケットコネクタ２０から係合解除されることを阻止する。プラグコネクタ１０がソケットコネクタ２０と嵌合された後、操作部１２３は、作業者が、操作部１２３を押してロックデバイス１２を解放し、プラグコネクタ１０をソケットコネクタ２０から引き抜き易いように、第２のハウジング２１の外側に露出している。
【００３４】
本発明の更に他の例示的実施形態では、第１の誤挿入防止デバイスは、ロックデバイス１２の外表面から突出した少なくとも１つの誤挿入防止突起１２２を備える。誤挿入防止突起１２２は、図３に示す上下方向（すなわち、プラグコネクタ１０の挿入方向）に延在する。これに対応して、第２の誤挿入防止デバイスは、ブロック部２３に形成される少なくとも１つの切欠き２３１を含み、少なくとも１つの切欠き２３１は、少なくとも１つの誤挿入防止突起１２２に対応しており、少なくとも１つの誤挿入防止突起１２２を通すことができる。
【００３５】
本発明の更に他の例示的実施形態では、第１のハウジング１１のロックデバイス１２の右側及び左側の夫々に近接した位置には、補強リブ１３が設けられ、補強リブ１３は、プラグコネクタ１０が挿入される方向（図３乃至図４に示す上下方向）に延在する。これに対応して、第２のハウジング２１の内側には、２つの通路２４が設けられ、通路２４は、補強リブ１３に対応し、夫々補強リブ１３を通すことができる。補強リブ１３は、第１のハウジング１１の強度を増し、補強リブ１３同士間でロックデバイス１２を保護することができる。補強リブ１３には、２つの誤挿入防止切欠き１３１が夫々形成される。これに対応して、第２の誤挿入防止デバイスは、２つの通路２４に夫々設けられる２つの突起２４１が更に含まれる。突起２４１は、誤挿入防止切欠き１３１に対応しており、誤挿入防止切欠き１３１と夫々嵌合する。
【００３６】
本発明の第１の例示的実施形態に係るコネクタアセンブリでは、プラグコネクタ１０の誤挿入防止突起１２２の形状及び位置は、ソケットコネクタ２０の切欠き２３１の形状及び位置に対応していなければならず、プラグコネクタ１０の誤挿入防止切欠き１３１の形状及び位置は、ソケットコネクタ２０の突起２４１の形状及び位置に夫々対応していなければならず、さもなければ、プラグコネクタ１０はソケットコネクタ２０に挿入することができない。このようにして、プラグコネクタ１０が不一致のソケットコネクタに挿入することを防止することができる。
【００３７】
図３乃至図４に示すように、プラグコネクタ１０は、第１のハウジング１１の外表面及び補強リブ１３に接続される第２の補強リブ１４を更に備えている。第２の補強リブ１４は、補強リブ１３及び第１のハウジング１１の強度を増すことができ、プラグコネクタ１０がソケットコネクタ２０に更に挿入することを防止することができる。
【００３８】
図５は、本発明の第２の例示的実施形態に係るコネクタアセンブリの分解図である。図５に示すように、第２の実施形態の第１の実施形態との違いは、プラグコネクタ３０上の誤挿入防止突起３２２の位置及びソケットコネクタ４０内の対応する切欠き４３１の位置が、第１の実施形態におけるプラグコネクタ１０上の誤挿入防止突起１２２の位置及びソケットコネクタ２０内の対応する切欠き２３１の位置とは異なる点である。更に、第２の実施形態のその他の部分は、第１の実施形態と略同一である。従って、これらの部分の記述はここでは省略する。第２の実施形態では、プラグコネクタ３０上の誤挿入防止突起３２２の位置は、ソケットコネクタ４０内の切欠き４３１の位置に対応しているので、プラグコネクタ３０はソケットコネクタ４０に挿入することができる。しかしながら、第１の実施形態のプラグコネクタ１０は、第２の実施形態のソケットコネクタ４０に挿入することはできない。
【００３９】
図６は、本発明の第３の例示的実施形態に係るコネクタアセンブリの分解図である。図６に示すように、第１の実施形態との第３の実施形態の違いは、切欠き５３１が、プラグコネクタ５０の右側の補強リブ５３にのみ形成されている点、及び突起６４１がソケットコネクタ６０の右側の通路６４にのみ形成されている点である。第３の実施形態では、図６に示すように、プラグコネクタ５０は誤挿入防止突起を備えず、ソケットコネクタ６０は切欠きを備えていない。更に、第３の実施形態のその他の部分は、第１の実施形態と略同一である。従って、これらの部分の記述はここでは省略する。第３の実施形態では、プラグコネクタ５０における切欠き５３１は、ソケットコネクタ６０上の突起６４１に対応しているため、プラグコネクタ５０は、ソケットコネクタ６０に挿入することができる。しかし、第１の実施形態のプラグコネクタ１０は、第３の実施形態のソケットコネクタ６０に挿入することはできない。
【００４０】
図７は、本発明の第４の例示的実施形態に係るコネクタアセンブリの分解図である。図７に示すように、第１の実施形態との第４の実施形態の違いは、切欠き７３１が、プラグコネクタ７０の左側の補強リブ７３にのみ形成されている点、及び突起８４１がソケットコネクタ８０の左側の通路８４にのみ形成されている点である。更に、第４の実施形態のその他の部分は、第１の実施形態と略同一である。従って、これらの部分の記述はここでは省略する。第４の実施形態では、プラグコネクタ７０における切欠き７３１は、ソケットコネクタ８０上の突起８４１に対応しているため、プラグコネクタ７０は、ソケットコネクタ８０に挿入することができる。しかしながら、第３の実施形態のプラグコネクタ５０は、第４の実施形態のソケットコネクタ８０に挿入することはできない。
【００４１】
本発明の上記の様々な実施形態では、プラグコネクタのハウジング、ロックデバイス、及び補強リブは、例えば射出成形によって単一部品として形成されてもよい。同様に、ソケットコネクタのハウジング、ブロック部、通路、及び突起は、例えば射出成形によって単一部品として形成されてもよい。プラグコネクタの第１の誤挿入防止デバイスとソケットコネクタの第２の誤挿入防止デバイスは、一対の相補的な構造を形成する。例えば、第１の誤挿入防止デバイスの誤挿入防止突起は、突起構造として構成され、第２の誤挿入防止デバイスの切欠きは、突起構造に対して相補的な凹み構造として構成される。更に、例えば、第１の誤挿入防止デバイスの補強リブの切欠きは、凹み構造として構成され、第２の誤挿入防止デバイスの通路における突起は、凹み構造に対して相補的な突起構造として構成される。すなわち、突起構造は、ハウジングと同一の材料が存在していることを示し、凹み構造は、材料が存在しないことを示す。
【００４２】
図３乃至図７に示す左側から右側への方向において、プラグコネクタ（例えば、第１の実施形態のプラグコネクタ１０）に関して、補強リブにおいて材料が存在しないという切欠き（例えば、切欠き１３１）の特徴を「０」とし、ロックデバイスの、材料が存在するという誤挿入防止突起（例えば誤挿入防止突起１２２）の特徴を「１」とし、同様に、ソケットコネクタ（例えば、第１の実施形態のソケットコネクタ２０）に関して、通路において材料が存在するという突起（例えば、突起２４１）の特徴を「１」とし、ブロック部（例えば、ブロック部２３）において材料が存在しないという切欠き（例えば、切欠き２３１）の特徴を「０」とすると、プラグコネクタ及びソケットコネクタの一対の相補的な特徴を示す以下のような表が得られる。
【表１】
0006307755.tif 000002
【００４３】
当業者には当然のことながら、第１及び第２の誤挿防止デバイスによってプラグコネクタをソケットコネクタと嵌合させる上記例は、一例であり、限定的なものではない。互いに嵌合するプラグコネクタ及びソケットコネクタの多くの変更は、プラグコネクタの第１の誤挿入防止デバイスの切欠き及び誤挿入防止突起の個数、位置、及び形状を変更し、それに対応するようにソケットコネクタの第２の誤挿入防止デバイスの突起及び切欠きの個数、位置、及び形状を変更することによってなされることができる。このようにして、異なる誤挿入防止構造を有するコネクタアセンブリの多くの変更がなされることができる。すなわち、一連のコネクタアセンブリ製品を得ることができる。一連のコネクタアセンブリ製品では、プラグコネクタの誤挿入防止特徴が、ソケットコネクタの誤挿入防止特徴と一致した時にのみ、プラグコネクタはソケットコネクタに挿入することができる。これにより、プラグコネクタが不一致のソケットコネクタに挿入することを防止し、不一致の導線同士を接続すること、又は回路基板又はその他の電子装置の誤った位置に導線を接続することを回避することができる。
【００４４】
更に、本発明の上記の様々な実施形態では、誤挿入防止構造は全て、プラグコネクタ及びソケットコネクタのハウジング上に形成され、従って、その他の誤挿入防止キーイング構造、及びこれらのキーイング構造を形成する更なる材料が省略されることにより、ハウジングの寸法を減少し、ソケットコネクタへのプラグコネクタの挿入を容易にする。
【００４５】
当業者には当然のことながら、上記実施形態は一例であり、限定的なものではない。例えば、当業者によって、上記実施形態に対して多くの変更がなされることができ、異なる実施形態に記述された様々な特徴は、構成又は原理において矛盾することなく互いに自由に組み合わされることができるので、本発明の技術的問題を克服しながら、より多くの種類の電気コネクタアセンブリを得ることができる。
【００４６】
一部の例示的実施形態を図示して記述したが、当業者には当然のことながら、これらの実施形態には、請求項及びその等価物においてその範囲が規定される本開示の原理及び精神から逸脱することなく、様々な変化又は変更がなされることができる。
【００４７】
本書において用いられるように、単数形で記述され、「一つの（ａ）」又は「一つの（ａｎ）」という用語とともに説明される要素は、複数の当該要素又はステップを、明示的に排除すると述べない限りは、排除しないものと理解されるべきである。更に、本発明の「一実施形態」という記述は、記述された特徴も組み込む更に他の実施形態の存在を排除するものとは解釈されないものとする。更に、反対に明示的に述べない限りは、特定の性質を有する一つの要素又は複数の要素を「備える（ｃｏｍｐｒｉｓｉｎｇ）」又は「有する（ｈａｖｉｎｇ）」実施形態は、その性質を有しない更なる当該要素を含んでもよい。
【図１】
0006307755.tif 000003
【図２】
0006307755.tif 000004
【図３】
0006307755.tif 000005
【図４】
0006307755.tif 000006
【図５】
0006307755.tif 000007
【図６】
0006307755.tif 000008
【図７】
0006307755.tif 000009